(57)【要約】【課題】  本発明は、エネルギーの消費を抑えて、屋根に積もった雪を取り除くことのできる屋根用の除雪システムを提供する屋根用の除雪システムを提供する。【解決手段】  本発明に係る屋根用の除雪システムは、建物の屋根における一端から他端に向けて先下りした平部の高所領域に設置される発熱パネルを備え、平部における少なくとも発熱パネルの設置された領域の下側の境界と他端との間にある領域に対して親水性が付与されていることを特徴とする。【選択図】図１
2014105475.tif 000002
【特許請求の範囲】
【請求項１】
建物の屋根における一端から他端に向けて先下りした平部の高所領域に設置される発熱パネルを備え、平部における少なくとも発熱パネルの設置された領域の下側の境界と他端との間にある領域に対して親水性が付与されていることを特徴とする屋根用の除雪システム。
【請求項２】
平部における少なくとも発熱パネルの設置された領域の下側の境界と他端との間にある領域に配置された被覆パネルを備え、被覆パネルの上面に親水性が付与されている請求項１に記載に記載の屋根用の除雪システム。
【請求項３】
被覆パネルは、熱伝導率の高い金属プレートで構成されるとともに平部の全面又は略全面を覆い、発熱パネルは、平部の高所領域にある被覆パネル上に配置される請求項２に記載の屋根用の除雪システム。
【請求項４】
被覆パネルは、平部の他端から外側に延出している請求項３に記載の屋根用の除雪システム。
【請求項５】
炉と、炉に接続された排煙ダクトとを備え、発熱パネルは、平部の高所領域に配置されるパネル本体部と、パネル本体部の少なくとも一端から外方に延出した受熱部であって、排煙ダクトの排煙口と対向する受熱部とを備え、少なくともパネル本体部及び受熱部が熱伝送率の高い金属製である請求項２乃至請求項４の何れか１項に記載の屋根用の除雪システム。
【請求項６】
発熱パネルを発熱させる熱源と、熱源を駆動させるタイミングが設定可能なタイマーとを更に備える請求項１乃至請求項４の何れか１項に記載の屋根用の除雪システム。
【発明の詳細な説明】
【技術分野】
【０００１】
本発明は、一方から他方に向けて先下りした屋根に堆積した雪を取り除くための屋根用の除雪システムに関する。
【背景技術】
【０００２】
従来から、建物の屋根に雪が積もった場合、建物の破損や倒壊を未然に防ぐために、一般的に雪掻き作業が行われているが、かかる雪掻き作業は、足場の悪い雪の上で行う高所作業であるため、多大な労力を要するだけなく、転落事故といった危険を伴う作業であるとして、近年、降雪時に雪掻き作業を必要としない融雪システムが提案されている。
【０００３】
一般的に、融雪システムは、熱源と、該熱源からの熱を受けて発熱する発熱パネルであって、建物の屋根の略全面に敷き詰められる発熱パネルとを備える（例えば、特許文献１参照）。
【０００４】
かかる融雪システムは、発熱パネルの熱で降雪を融かすことで、屋根（発熱パネル）に雪が積もることを防止する。これにより、融雪システムの採用された建物においては、降雪時において、雪掻き作業をする必要がないとされている。
【先行技術文献】
【特許文献】
【０００５】
【特許文献１】特開２０１２−４１８０９号公報
【発明の概要】
【発明が解決しようとする課題】
【０００６】
しかしながら、従来の融雪システムは、屋根全面に敷き詰められた発熱パネルを発熱させるため、非常に多くのエネルギーを消費してしまう。
【０００７】
そこで、本発明は、斯かる実情に鑑み、エネルギーの消費を抑えつつ、屋根に積もった雪を除去することのできる屋根用の除雪システムを提供することを課題とする。
【課題を解決するための手段】
【０００８】
本発明に係る屋根用の除雪システムは、建物の屋根における一端から他端に向けて先下りした平部の高所領域に設置される発熱パネルを備え、平部における少なくとも発熱パネルの設置された領域の下側の境界と他端との間にある領域に対して親水性が付与されていることを特徴とする。
【０００９】
上記構成の屋根用の除雪システムによれば、屋根（平部）に雪が積もったときに発熱パネルが発熱することで、平部の高所領域にある雪が溶けて水になる。そして、屋根の平部が一端から他端に向けて先下りしているため、雪が溶けてできた水は、平部の姿勢によって下方側（平部の他端側）に流れる。このとき、その水は平部における少なくとも発熱パネルの設置された領域の下側の境界と他端との間にある領域に積もった雪の下に入り込む。すなわち、上記構成の屋根用の除雪システムにおいては、平部における少なくとも発熱パネルの設置された領域の下側の境界と他端との間にある領域に対して親水性が付与されているため、上方から流れてくる水は、積もった雪と屋根との間に誘導され、親水性の付与された面上で広がろうとする。その結果、積雪と屋根との間に水の層ができ、平部に積もった雪が滑り落ちることになる。
【００１０】
このように、屋根を構成する平部の高所領域のみに設置された発熱パネルの発熱だけで、屋根（平部）に積もった雪を除去できる（除雪できる）ため、除雪に必要なエネルギーの消費量を抑えることができる。
【００１１】
本発明の一態様として、平部における少なくとも発熱パネルの設置された領域の下側の境界と他端との間にある領域に配置された被覆パネルを備え、被覆パネルの上面に親水性が付与されている、ようにし得る。
【００１２】
かかる構成によれば、発熱パネルの発熱によってできた水は、平部の姿勢によって下方側（平部の他端側）に流れる。このとき、その水は、被覆パネルに積もった雪の下に入り込む。すなわち、上記構成の屋根用の除雪システムにおいては、平部における少なくとも発熱パネルの設置された領域の下側の境界と他端との間にある領域に配置された被覆パネルの上面に対して親水性が付与されているため、上方から流れてくる水は、積もった雪と被覆パネル（屋根）との間に誘導され、親水性の付与された面（被覆パネルの上面）上で広がろうとする結果、積雪と被覆パネル（屋根）との間に水の層ができ、被覆パネル（平部）に積もった雪が滑り落ちることになる。従って、エネルギーの消費を抑えつつ除雪することができる。特に、上記構成によれば、親水性の付与された被覆パネルを屋根の平部に配置するため、既設の建物の屋根を加工する必要がない。また、既設の建物の屋根（例えば、瓦）は、経年劣化によって親水性を付与する加工を十分に行えない状態のものがあるが、上述の如く、被覆パネルを配置すれば、平部における高所領域の下側の境界と他端との間の領域に対して親水性を適正に付与することができる。
【００１３】
この場合、被覆パネルは、熱伝導率の高い金属プレートで構成されるとともに平部の全面又は略全面を覆い、発熱パネルは、平部の高所領域にある被覆パネル上に配置される、ようにもし得る。
【００１４】
かかる構成によれば、発熱パネルの熱が被覆パネルにも伝わり、発熱パネル近傍における被覆パネル上にある雪も溶けて水になる。これにより、被覆パネル上に積もった雪と被覆パネルとの間に流れ込む水の量が多くなり、積雪を屋根から確実に滑り落とすことができる。
【００１５】
そして、被覆パネルを備える場合、被覆パネルは、平部の他端から外側に延出している、ことが好ましい。
【００１６】
かかる構成によれば、被覆パネルが屋根の軒先（平部の他端）を延長した状態になる。従って、被覆パネルを滑り落ちてくる雪（積雪）が屋根の軒先よりも遠方に落下し、建物の際に居る人の頭上に雪（積雪）が落下することを防止できる。
【００１７】
本発明の他態様として、炉と、炉に接続された排煙ダクトとをさらに備え、発熱パネルは、平部の高所領域に配置されるパネル本体部と、パネル本体部の少なくとも一端から外方に延出した受熱部であって、排煙ダクトの排煙口と対向する受熱部とを備え、少なくともパネル本体部及び受熱部が熱伝送率の高い金属製である、ようにしてもよい。
【００１８】
かかる構成によれば、炉内の燃焼によって発生する排煙が排煙ダクトを通って発熱パネルの伝熱部に当る。従って、排煙に含まれる熱が伝熱部に伝わり、伝熱部に繋がるでパネル本体部にも伝わる。これにより、発熱パネルが排熱によって発熱するため、平部の高所領域にある雪は、発熱パネルの熱によって溶かされ、積もった雪を滑り落とすための水になる。従って、発熱パネルを暖めるためだけにエネルギーを消費することを防止でき、省エネルギーに貢献することができる。
【００１９】
本発明の別の態様として、発熱パネルを発熱させる熱源と、熱源を駆動させるタイミングが設定可能なタイマーとを更に備える、ようにし得る。
【００２０】
このようにすれば、タイマーに設定したタイミング（予め設定した時刻、或いは所定時間経過後のタイミング）で発熱パネルが発熱する。従って、発熱パネルを常時発熱させる必要がなく、エネルギーの消費を抑えることができる。
【発明の効果】
【００２１】
以上のように、本発明に係る屋根用の除雪システムによれば、エネルギーの消費を抑えつつ、屋根に積もった雪を除去することができるという優れた効果を奏し得る。
【図面の簡単な説明】
【００２２】
【図１】図１は、本発明の第一実施形態に係る屋根用の除雪システムを建物の屋根に設置した状態の概略側面図である。
【図２】図２は、第一実施形態に係る屋根用の除雪システムを建物の屋根に設置した状態の概略平面図である。
【図３】図３は、図１のＡ部拡大図である。
【図４】図４は、本発明の第二実施形態に係る屋根用の除雪システムを建物の屋根に設置した状態の概略側面図である。
【図５】図５は、第二実施形態に係る屋根用の除雪システムを建物の屋根に設置した状態の概略平面図である。
【図６】図６は、図４のＢ部拡大図である。
【図７】図７は、本発明の他実施形態に係る屋根用の除雪システムを建物の屋根に設置した状態の概略側面図である。
【図８】図８は、本発明の別の実施形態に係る屋根用の除雪システムを建物の屋根に設置した状態の概略側面図である。
【発明を実施するための形態】
【００２３】
以下、本発明の第一実施形態に係る屋根用の除雪システム（以下、単に除雪システムという）について、添付図面を参照しつつ説明する。
【００２４】
除雪システムは、一端から他端に向けて先下りした平部を有する屋根を備えた建物を対象としている。すなわち、本実施形態に係る除雪システムは、切妻屋根、方形屋根、寄棟屋根、入母屋、片流れ屋根、錣屋根、腰折れ屋根のように、一端（上端）から他端（下端）に向けて先下りに傾斜した平部（勾配のある平部）を有する屋根だけでなく、ドーム屋根のように、一端（上端である頂部）から他端（下端）に向けて先下り状態で湾曲した平部を有する屋根を対象としている。
【００２５】
本実施形態に係る除雪システムは、図１及び図２に示す如く、屋根Ｒにおける平部ＲＦの高所領域ＨＡに設置される発熱パネル１を備える。本実施形態に係る除雪システムは、発熱パネル１に加え、発熱パネル１を発熱させる熱源２と、熱源２を駆動させるタイミングが設定可能なタイマー３とを更に備える。
【００２６】
図１及び図２には、棟の両側に平部ＲＦを有する切妻屋根Ｒを有する建物が図示されており、発熱パネル１は、各平部ＲＦ，ＲＦの高所領域ＨＡに対して設置されている。
【００２７】
発熱パネル１は、熱伝導性を有する材料によって形成される。発熱パネル１は、図２に示す如く、平部ＲＦの高所領域ＨＡに即した平面形状を有する。例えば、切妻屋根の場合、該切妻屋根の平部ＲＦは平面視四角形状に形成されるため、平部ＲＦの高所領域ＨＡは、平部ＲＦの上端（一端）から下端（他端）までの長さよりも短い辺と、平部ＲＦの水Ｗ平方向の長さと同等の長さを有する辺とを有する四角形状の領域となる。これに伴い、発熱パネル１は、高所領域ＨＡの形状及びサイズに即して平面視四角形状に形成される。本実施形態に係る発熱パネル１は、扁平した箱状に形成され、熱源２の後述する伝熱部２１０を収容する内部空間を有する。
【００２８】
ここで平部ＲＦの高所領域ＨＡとは、平部ＲＦの先下りした方向における該平部ＲＦの中央よりも上側の領域（上側半分の領域）を意味する。本実施形態においては、平部ＲＦの一端（上端）を含む領域であって、平部ＲＦの先下りした方向における平部ＲＦの全域の概ね１／４〜１／３の領域を高所領域ＨＡとしている。これに伴い、発熱パネル１は、平部ＲＦの１／４〜１／３の範囲の領域全域を覆っている。
【００２９】
本実施形態に係る発熱パネル１は、熱源２からの熱を受けて発熱する。本実施形態において、熱源２には液体循環装置２が採用されている。液体循環装置２は、図１及び図２に示す如く、流通する液体を加熱する加熱部２０と、加熱部２０に接続された配管系２１であって、発熱パネル１内に配置される伝熱部２１０、及び液体を圧送するポンプＰを有し、加熱部２０、伝熱部２１０、及びポンプＰを含む循環経路を構成する配管系２１とを備える。
【００３０】
加熱部２０は、液体を流通させる流路であって、配管系２１が接続される流路を有する。本実施形態において、加熱部２０には、液体と熱媒体とを熱交換させる熱交換器２０が採用されている。これに伴い、本実施形態に係る液体循環装置２は、熱媒体を圧縮するコンプレッサーＣＰを含むヒートポンプ２２を備える。ヒートポンプ２２は、熱媒体をコンプレッサーＣＰで圧縮することで加熱し、加熱された（温度上昇した）熱媒体を加熱部２０（熱交換器２０）に供給するようになっている。
【００３１】
本実施形態に係る液体循環装置２は、配管系２１（循環経路）上のポンプＰを駆動することで、液体を循環させるようになっている。すなわち、液体循環装置２は、加熱された液体を発熱パネル１内の伝熱部２１０に供給し、伝熱部２１０を通過して液体を加熱部２０に戻すようになっている。
【００３２】
これにより、液体循環装置２は、配管系２１（循環経路）を循環する液体が加熱部２０を通過するときに、該液体が熱媒体と熱交換して加熱され、伝熱部２１０に供給されるようになっている。これにより、本実施形態に係る除雪システムは、発熱パネル１が熱源２（伝熱部２１０）からの熱を受けて発熱するようになっている。
【００３３】
除雪システムは、上述の如く、熱源２を駆動させるタイミングが設定可能なタイマー３を備える。本実施形態において、タイマー３は、液体循環装置２のポンプＰ等を駆動する制御装置２３に組み込まれている。これにより、除雪システムは、使用者が予め設定した時刻、又は、使用者が設定した時間の経過後、或いは、使用者が設定した所定時間毎に、熱源２（液体循環装置２）を駆動し、熱源２の駆動のタイミングに応じて発熱パネル１を発熱させるようになっている。
【００３４】
そして、本実施形態に係る除雪システムにおいて、上述の如く、平部ＲＦの高所領域ＨＡに発熱パネル１が設置されることを前提に、平部ＲＦにおける少なくとも発熱パネル１の設置された領域の下側の境界ＤＬと他端（屋根Ｒの庇の先端）ＥＬとの間にある領域に対して親水性が付与される。本実施形態において、屋根Ｒの平部ＲＦ全面に対して親水性コーティングが施される。
【００３５】
ここで、屋根Ｒの平部ＲＦに対する親水性コーティングには、二酸化珪素化合物、リン酸水カリウム、ホウ酸、二酸化珪素パウダー、及びシリカアルミナを含むコーティング剤が採用され得る。なお、平部ＲＦに対して親水性コーティングを施すに当り、平部ＲＦに下地剤を塗布してもよいが、上記構成のコーティング剤を採用する場合、平部ＲＦに対してコーティング剤が直接塗布される。
【００３６】
本実施形態に係る除雪システムは、以上の通り、建物の屋根Ｒにおける一端から他端に向けて先下りした平部ＲＦの高所領域ＨＡに設置される発熱パネル１を備え、平部ＲＦにおける少なくとも発熱パネル１の設置された領域の下側の境界と他端との間にある領域に対して親水性が付与されていることを特徴とする。
【００３７】
上記構成の除雪システムによれば、図３に示す如く、屋根Ｒ（平部ＲＦ）に雪Ｓが積もったときに発熱パネル１が発熱することで、平部ＲＦの高所領域ＨＡにある雪Ｓが溶けて水Ｗになる。そして、屋根Ｒの平部ＲＦが一端から他端に向けて先下りしているため、雪Ｓが溶けてできた水Ｗは、平部ＲＦの姿勢によって下方側（平部ＲＦの他端側）に流れる。このとき、その水Ｗは平部ＲＦにおける少なくとも発熱パネル１の設置された領域の下側の境界と他端との間にある領域に積もった雪Ｓの下に入り込む。
【００３８】
すなわち、上記構成の除雪システムにおいては、平部ＲＦにおける少なくとも発熱パネル１の設置された領域の下側の境界ＤＬと他端ＥＬとの間にある領域に対して親水性が付与されているため、上方から流れてくる水Ｗは、積もった雪Ｓと屋根Ｒとの間に誘導され、親水性の付与された面上で広がろうとする。その結果、積もった雪Ｓと屋根Ｒとの間に水Ｗの層ができ、平部ＲＦに積もった雪Ｓが滑り落ちることになる。
【００３９】
このように、屋根Ｒを構成する平部ＲＦの高所領域ＨＡのみに設置された発熱パネル１の発熱だけで、屋根Ｒ（平部ＲＦ）に積もった雪Ｓを除去できる（除雪できる）ため、除雪に必要なエネルギーの消費量を抑えることができる。
【００４０】
特に、本実施形態に係る除雪システムは、発熱パネル１を発熱させる熱源２と、熱源２を駆動させるタイミングが設定可能なタイマー３とを更に備えるため、タイマー３に設定したタイミング（予め設定した時刻、或いは所定時間経過後のタイミング）で発熱パネル１が発熱する。従って、発熱パネル１を常時発熱させる必要がなく、エネルギーの消費を抑えることができる。
【００４１】
次に、本発明の第二実施形態に係る除雪システムについて説明する。
【００４２】
本実施形態に係る除雪システムは、第一実施形態と同様に、一端から他端に向けて先下りした平部を有する屋根を備えた建物を対象としたもので、図４及び図５に示す如く、屋根Ｒにおける平部ＲＦの高所領域ＨＡに設置される発熱パネル１と、平部ＲＦにおける少なくとも発熱パネル１の設置された領域の下側の境界と他端との間にある領域に配置された被覆パネル４とを備える。
【００４３】
さらに、本実施形態に係る除雪システムは、発熱パネル１及び被覆パネル４に加え、発熱パネル１を発熱させる熱源５を備える。
【００４４】
本実施形態に係る発熱パネル１は、図５に示す如く、平部ＲＦの高所領域ＨＡに配置されるパネル本体部１０と、パネル本体部１０の少なくとも一端から外方に延出した受熱部１１であって、後述する排煙ダクト５１の排煙口Ｄと対向する受熱部１１とを備える。そして、パネル本体部１０及び受熱部１１は、熱伝送率の高い金属製である。すなわち、発熱パネル１は、熱伝導率の高い金属製のプレート（例えば、銅製のプレートや、アルミニウム製のプレート）で形成される。
【００４５】
本実施形態において、パネル本体部１０は、平部ＲＦの高所領域ＨＡに即した平面形状を有する。例えば、切妻屋根の場合、該切妻屋根の平部ＲＦは平面視四角形状に形成されるため、平部ＲＦの高所領域ＨＡは、平部ＲＦの上端（一端）から下端（他端）までの長さよりも短い辺と、平部ＲＦの水Ｗ平方向の長さと同等の長さを有する辺とを有する四角形状の領域となる。これに伴い、発熱パネル１のパネル本体部１０は、高所領域ＨＡの形状及びサイズに即して平面視四角形状に形成される。
【００４６】
なお、本実施形態においても、平部ＲＦの高所領域ＨＡとは、平部ＲＦの先下りした方向における該平部ＲＦの中央よりも上側の領域（上側半分の領域）を意味する。本実施形態においては、平部ＲＦの一端（上端）を含む領域であって、平部ＲＦの先下りした方向における平部ＲＦの全域の概ね１／４〜１／３の領域を高所領域ＨＡとしている。これに伴い、発熱パネル１は、平部ＲＦの１／４〜１／３の範囲の領域全域を覆っている。
【００４７】
受熱部１１は、屋根Ｒ（平部ＲＦ）よりも外側に延出している。例えば、対象とする屋根Ｒが切妻屋根の場合、受熱部１１は、屋根Ｒ（平部ＲＦ）の切妻から外方に延出するように設けられ、対象となる屋根Ｒが方形屋根や寄棟屋根である場合、受熱部１１は、屋根Ｒ（平部ＲＦ）の庇から外方に延出するように設けられる。なお、図４及び図５に示す発熱パネル１は、切妻屋根の切妻から延出した受熱部１１を備えている。
【００４８】
被覆パネル４の材質は、特に限定されないが、本実施形態においては、熱伝導性の高い金属（銅や、アルミニウム）で構成されている。すなわち、被覆パネル４は、熱伝導率の高い金属プレートで構成されている。
【００４９】
そして、本実施形態に係る被覆パネル４は、熱伝導率の高い金属プレートで構成されるとともに平部ＲＦの全面又は略全面を覆うことのできるサイズに設定されている。本実施形態に係る被覆パネル４は、平部ＲＦよりも大きなサイズに設定されている。より具体的には、被覆パネル４は、平部ＲＦの全面又は略全面を覆った上で、平部ＲＦの他端（庇）ＥＬから外側に延出している。
【００５０】
これに伴い、発熱パネル１は、平部ＲＦの高所領域ＨＡにある被覆パネル４上に配置される。そして、被覆パネル４が平部ＲＦの全面又は略全面を覆うのに伴って、被覆パネル４の上面であって、平部ＲＦにおける少なくとも発熱パネル１の設置された領域の下側の境界ＤＬと他端（屋根Ｒの庇ＥＬ）との間にある領域に対して親水性が付与される。本実施形態において、被覆パネル４の上面全域に被覆パネル４の上面に親水性が付与されている。本実施形態において、被覆パネル（金属プレート）４の上面全面に対して親水性コーティングが施される。
【００５１】
ここで、被覆パネル４に対する親水性コーティングには、第一実施形態と同様に、二酸化珪素化合物、リン酸水カリウム、ホウ酸、二酸化珪素パウダー、及びシリカアルミナを含むコーティング剤が採用され得る。なお、被覆パネル４に対して親水性コーティングを施すに当り、被覆パネル４に下地剤を塗布してもよいが、上記構成のコーティング剤を採用する場合、被覆パネル４に対してコーティング剤が直接塗布される。
【００５２】
本実施形態に係る熱源５は、図４に示す如く、炉５０と、炉５０に接続された排煙ダクト５１とを備える。炉５０は、燃焼室を有するものであればよく、例えば、炉５０には、廃棄物を燃焼させる燃焼室を有する焼却炉や、薪等の燃料を燃焼させる燃焼室を有する暖炉等が採用される。排煙ダクト５１は、第一端と、該第一端の反端側の第二端であって、排煙口Ｄを画定する第二端とを有する。排煙ダクト５１の第一端は、炉５０に接続されている。これに対し、排煙ダクト５１の第二端（排煙口Ｄ）は、受熱部１１と対向している。これにより、排煙ダクト５１は、炉５０の燃焼室からの排煙を排煙口Ｄに導き、排煙に含まれる熱を発熱パネル１の受熱部１１に導けるようになっている。なお、排煙ダクト５１の第二端から放出される排煙には、火の粉が含まれることがあるため、排煙ダクト５１の第二端は、家屋から十分に距離をおいて配置される。
【００５３】
従って、本実施形態に係る発熱パネル１の受熱部１１は、屋根Ｒ（平部ＲＦ）の端（切妻）から十分に距離をあけた位置まで延出している（図５参照）。なお、本実施形態のように、排煙ダクト５１の第二端を受熱部１１に対向させる場合、排煙ダクト５１からの排煙が建物を汚染することを防止するために、受熱部１１の周囲に排煙を外方に向けて誘導する防炎壁を垂設してもよい。
【００５４】
なお、本実施形態において、棟を境にした二つの平部ＲＦを有する屋根Ｒ（切妻屋根）を対象としているため、排煙ダクト５１は、第二端側で分岐し、各平部ＲＦ上に配置された発熱パネル１のそれぞれの受熱部１１に第二端を対向させている。
【００５５】
以上のように、本実施形態に係る除雪システムにおいても、建物の屋根Ｒにおける一端から他端に向けて先下りした平部ＲＦの高所領域ＨＡに設置される発熱パネル１を備え、平部ＲＦにおける少なくとも発熱パネル１の設置された領域の下側の境界と他端との間にある領域に対して親水性が付与されていることを特徴とする。
【００５６】
上記構成の除雪システムによれば、図６に示す如く、屋根Ｒ（平部ＲＦ）に雪Ｓが積もったときに発熱パネル１が発熱することで、平部ＲＦの高所領域ＨＡにある雪Ｓが溶けて水Ｗになる。
【００５７】
本実施形態に係る除雪システムは、炉５０と、炉５０に接続された排煙ダクト５１とをさらに備え、発熱パネル１は、平部ＲＦの高所領域ＨＡに配置されるパネル本体部１０と、パネル本体部１０の少なくとも一端から外方に延出した受熱部１１であって、排煙ダクト５１の排煙口Ｄと対向する受熱部１１とを備え、パネル本体部１０及び受熱部１１が熱伝送率の高い金属製であるため、炉５０内の燃焼によって発生する排煙が排煙ダクト５１を通って発熱パネル１の伝熱部２１０に当る。従って、排煙に含まれる熱が伝熱部２１０に伝わり、伝熱部２１０に繋がるでパネル本体部１０にも伝わる。これにより、発熱パネル１が排熱によって発熱するため、平部ＲＦの高所領域ＨＡにある雪Ｓは、発熱パネル１の熱によって溶かされる。
【００５８】
そして、屋根Ｒの平部ＲＦが一端から他端に向けて先下りしているため、雪Ｓが溶けてできた水Ｗは、平部ＲＦの姿勢によって下方側（平部ＲＦの他端側）に流れる。このとき、その水Ｗは平部ＲＦにおける少なくとも発熱パネル１の設置された領域の下側の境界と他端との間にある領域に積もった雪Ｓの下に入り込む。
【００５９】
本実施形態に係る除雪システムは、平部ＲＦにおける少なくとも発熱パネル１の設置された領域の下側の境界と他端との間にある領域に配置された被覆パネル４とを備え、被覆パネル４の上面に親水性が付与されているため、発熱パネル１の発熱によってできた水Ｗは、被覆パネル４に積もった雪Ｓの下に入り込む。すなわち、上記構成の除雪システムにおいては、平部ＲＦにおける少なくとも発熱パネル１の設置された領域の下側の境界と他端との間にある領域に配置された被覆パネル４の上面に対して親水性が付与されているため、上方から流れてくる水Ｗは、積もった雪Ｓと被覆パネル４（屋根Ｒ）との間に誘導され、親水性の付与された面（被覆パネル４の上面）上で広がろうとする。
【００６０】
特に、本実施形態に係る除雪システムにおいて、被覆パネル４は、熱伝導率の高い金属プレートで構成されるとともに平部ＲＦの全面又は略全面を覆い、発熱パネル１は、平部ＲＦの高所領域ＨＡにある被覆パネル４上に配置されているため、発熱パネル１の熱が被覆パネル４にも伝わり、発熱パネル１近傍における被覆パネル４上にある雪Ｓも溶けて水Ｗになる。これにより、被覆パネル４上に積もった雪Ｓと被覆パネル４との間に流れ込む水Ｗの量が多くなる。
【００６１】
その結果、積もった雪Ｓと被覆パネル４（屋根Ｒ）との間に水Ｗの層ができ、被覆パネル４（平部ＲＦ）に積もった雪Ｓが滑り落ちることになる。
【００６２】
本実施形態において、被覆パネル４は、平部ＲＦの他端から外側に延出しているため、被覆パネル４が屋根Ｒの軒先（平部ＲＦの他端）を延長した状態になる。従って、被覆パネル４を滑り落ちてくる雪Ｓ（積雪Ｓ）が屋根Ｒの軒先よりも遠方に落下し、建物の際に居る人の頭上に雪Ｓ（積雪Ｓ）が落下することを防止できる。
【００６３】
このように、屋根Ｒを構成する平部ＲＦの高所領域ＨＡのみに設置された発熱パネル１の発熱だけで、屋根Ｒ（平部ＲＦ）に積もった雪Ｓを除去できる（除雪できる）ため、除雪に必要なエネルギーの消費量を抑えることができる。特に、本実施形態に係る除雪システムによれば、親水性の付与された被覆パネル４を屋根Ｒの平部ＲＦに配置するため、既設の建物の屋根Ｒを加工する必要がない。また、既設の建物の屋根Ｒ（例えば、瓦）は、経年劣化によって親水性を付与する加工を十分に行えない状態のものがあるが、上述の如く、被覆パネル４を配置すれば、平部ＲＦにおける高所領域ＨＡの下側の境界と他端との間の領域に対して親水性を適正に付与することができる。
【００６４】
なお、本発明は、上記各実施形態に限定されるものではなく、本発明の要旨を逸脱しない範囲内で適宜変更を加え得ることは勿論である。
【００６５】
例えば、上記第一実施形態において、熱源５として液体循環装置２が採用され、該液体循環装置２の加熱部２０に熱交換器２０が採用されたが、これに限定されない。例えば、熱源５として液体循環装置２が採用される場合、該液体循環装置２の加熱部２０は、流路で流通する液体を加熱するヒータを有するものであってもよい。
【００６６】
上記第一実施形態において、発熱パネル１の熱源５として、発熱パネル１に高温な液体を循環させる液体循環装置２が採用されたが、熱願はこれに限定されるものではない。例えば、熱源５には、電熱ヒータや、太陽熱を利用した蓄熱ヒータが採用されてもよい。
【００６７】
上記第一実施形態において、建物の屋根Ｒ（平部ＲＦ）全域に親水性コーティングを施したが、これに限定されない。例えば、平部ＲＦにおける発熱パネル１の設置された領域の下側の境界と他端との間にある領域のみに親水性コーティングが施されてもよい。
【００６８】
上記第一実施形態において、既設の屋根Ｒ（平部ＲＦ）に対して直接親水性コーティングを施したが、これに限定されない。例えば、図７及び図８に示す如く、熱源５に液体循環装置２や各種ヒータが採用される場合であっても、屋根Ｒの平部ＲＦに被覆パネル４を設置してもよい。この場合、被覆パネル４は、図７に示す如く、屋根Ｒの平部ＲＦの全面又は略全面を覆うように配置されてもよいし、図８に示す如く、平部ＲＦにおける発熱パネル１の設置された領域の下側の境界ＤＬと他端（屋根Ｒの庇の先端）ＥＬとの間の領域のみを覆うように配置されてもよい。なお、被覆パネル４が屋根Ｒの平部ＲＦの全面又は略全面を覆うように配置される場合、発熱パネル１は被覆パネル４上に配置されることは言うまでもない。
【００６９】
また、第二実施形態において、被覆パネル４が屋根Ｒの平部ＲＦ全面又は略全面を覆ったが、これに限定されない。例えば、第一実施形態と同様に、建物の屋根Ｒに発熱パネル１が直接載置され、平部ＲＦにおける発熱パネル１の設置された領域の下側の境界ＤＬと他端（屋根Ｒの庇の先端）ＥＬとの間にある領域に対して直接親水性が付与されてもよいし、平部ＲＦにおける発熱パネル１の設置された領域の下側の境界ＤＬと他端（屋根Ｒの庇の先端）ＥＬとの間の領域のみに親水性の付与された被覆パネル４が配置されてもよい（図８参照）。
【００７０】
上記第二実施形態において、被覆パネル４が平部ＲＦの他端（軒先）から外側に延出したが、これに限定されるものではない。例えば、被覆パネル４は、平部ＲＦと同形、同寸に形成され、平部ＲＦの他端からはみ出さない状態で設けられてもよい。
【００７１】
上記第二実施形態において、排煙ダクト５１の第二端が受熱部１１に対向し、受熱部１１が排煙を受けるように構成されたが、これに限定されない。例えば、炉５０及び排煙ダクト５１が熱源５として採用される場合、受熱部１１に対して排煙ダクト５１を挿通し、排煙口Ｄを屋根Ｒよりも上方に位置させるようにしてもよい。この場合、排煙ダクト５１の熱が受熱部１１に伝わるように、排煙ダクト５１の外周と受熱部１１とが熱伝導可能に接触させることは勿論のことである。
【００７２】
上記各実施形態において、平部ＲＦ又は被覆パネル４に親水性を付与するために、二酸化珪素化合物、リン酸水カリウム、ホウ酸、二酸化珪素パウダー、及びシリカアルミナを含むコーティング剤を用いたが、これに限定されない。すなわち、コーティング剤は、平部ＲＦ又は被覆パネル４に親水性を付与することができれば、上記各実施形態で採用したコーティング剤と組成の一部又は全部を異にしたものであってもよい。
【符号の説明】
【００７３】
１…発熱パネル、２…熱源（液体循環装置）、３…タイマー、４…被覆パネル、５…熱源、１０…パネル本体部、１１…受熱部、２０…加熱部（熱交換器）、２１…配管系、２２…ヒートポンプ、２３…制御装置、５０…炉、５１…排煙ダクト、２１０…伝熱部、ＣＰ…コンプレッサー、Ｄ…排煙口、ＨＡ…高所領域、Ｐ…ポンプ、Ｒ…屋根、ＲＦ…平部、Ｓ…雪、Ｗ…水
【図１】
2014105475.tif 000003
【図２】
2014105475.tif 000004
【図３】
2014105475.tif 000005
【図４】
2014105475.tif 000006
【図５】
2014105475.tif 000007
【図６】
2014105475.tif 000008
【図７】
2014105475.tif 000009
【図８】
2014105475.tif 000010